(57)【要約】  ディスプレイ部を含むデバイスに、１以上の外部デバイスとの視覚的記号を介した対話を提供する対話サービス提供方法において、該デバイスと、１以上の外部デバイスとの間で送受信される複数の視覚的記号を、複数の視覚的記号が送受信された時間によって、順次、ディスプレイ部にディスプレイする段階と、複数の視覚的記号を編集することができる編集モードへの進入命令を入力される段階と、複数の視覚的記号のうち１以上の視覚的記号を選択する選択命令を入力される段階と、選択された１以上の視覚的記号を所定位置に移動させ、複数の視覚的記号がディスプレイされる順序を変更する段階と、を含む対話サービス提供方法を開示する。
2018509673.tif 000002
【特許請求の範囲】
【請求項１】
ディスプレイ部を含むデバイスに、１以上の外部デバイスとの視覚的記号を介した対話を提供する対話サービス提供方法において、
前記デバイスと、前記１以上の外部デバイスとの間で送受信される複数の視覚的記号を、前記複数の視覚的記号が送受信された時間によって、順次、前記ディスプレイ部にディスプレイする段階と、
前記複数の視覚的記号を編集することができる編集モードへの進入命令を入力される段階と、
前記複数の視覚的記号のうち１以上の視覚的記号を選択する選択命令を入力される段階と、
前記選択された１以上の視覚的記号を所定位置に移動させ、前記複数の視覚的記号がディスプレイされる順序を変更する段階と、を含む対話サービス提供方法。
【請求項２】
前記ディスプレイ部は、タッチ感知ディスプレイ部であり、
前記選択命令を入力される段階は、前記複数の視覚的記号のうち１以上の視覚的記号に対応する位置に対するタッチ入力を始める動作、または前記タッチ入力を維持しながら、前記複数の視覚的記号のうち１以上の視覚的記号に対応する位置をドラッグする動作のうち少なくとも一つを検出することを特徴とする請求項１に記載の対話サービス提供方法。
【請求項３】
前記所定位置は、前記ディスプレイ部上で、前記タッチ入力が終わる位置であることを特徴とする請求項２に記載の対話サービス提供方法。
【請求項４】
前記選択命令を入力される段階は、前記複数の視覚的記号のうち、前記選択された１以上の視覚的記号を他の視覚的記号と区別されるようにディスプレイすることを特徴とする請求項１に記載の対話サービス提供方法。
【請求項５】
前記変更する段階は、前記複数の視覚的記号のうち、前記移動させた１以上の視覚的記号を他の視覚的記号と区別されるようにディスプレイすることを特徴とする請求項１に記載の対話サービス提供方法。
【請求項６】
前記選択命令を入力される段階後、
前記編集モードを終了する終了命令を入力される段階をさらに含むことを特徴とする請求項１に記載の対話サービス提供方法。
【請求項７】
前記変更する段階は、前記終了命令を入力されたとき、最も最近送受信された視覚的記号が、前記ディスプレイ部にディスプレイされる位置に、前記選択された１以上の視覚的記号を移動させることを特徴とする請求項６に記載の対話サービス提供方法。
【請求項８】
前記変更する段階は、前記選択された１以上の視覚的記号が移動された位置に、前記移動させた１以上の視覚的記号を固定することを特徴とする請求項１に記載の対話サービス提供方法。
【請求項９】
前記変更する段階は、前記選択された１以上の視覚的記号が第１方向に移動された場合、前記移動された視覚的記号の移動の前位置から、移動後の位置までの間に位置する視覚的記号を、前記第１方向と反対方向である第２方向に移動させることを特徴とする請求項１に記載の対話サービス提供方法。
【請求項１０】
前記変更する段階は、前記選択された１以上の視覚的記号を削除し、前記複数の視覚的記号がディスプレイされる内容を変更することを特徴とする請求項１に記載の対話サービス提供方法。
【請求項１１】
前記変更する段階後、
前記選択された１以上の視覚的記号が移動された編集情報を、前記１以上の外部デバイスに送信する段階をさらに含むことを特徴とする請求項１に記載の対話サービス提供方法。
【請求項１２】
前記送信する段階は、前記１以上の外部デバイスのうち、前記デバイスのユーザが選択した一部の外部デバイスにのみ前記編集情報を送信することを特徴とする請求項１１に記載の対話サービス提供方法。
【請求項１３】
前記送信する段階は、前記１以上の外部デバイスのうち、前記選択された視覚的記号のうち少なくとも一つを送信した一部の外部デバイスにのみ前記編集情報を送信することを特徴とする請求項１１に記載の対話サービス提供方法。
【請求項１４】
前記１以上の外部デバイスから、前記外部デバイスにおいて、前記複数の視覚的記号がディスプレイされる順序が変更されたという情報を受信する情報受信段階をさらに含み、
前記変更する段階は、前記受信された情報を基に、前記複数の視覚的記号がディスプレイされる順序を変更することを特徴とする請求項１に記載の対話サービス提供方法。
【請求項１５】
前記変更する段階は、前記受信された情報が、前記１以上の外部デバイスのうち、前記デバイスのユーザが選択した外部デバイスから受信された情報である場合にのみ、前記受信された情報を基に、前記複数の視覚的記号がディスプレイされる順序を変更することを特徴とする請求項１４に記載の対話サービス提供方法。
【請求項１６】
前記変更する段階は、前記受信された情報によって、前記複数の視覚的記号がディスプレイされる順序が変更されれば、前記デバイス上に通知を出力することを特徴とする請求項１４に記載の対話サービス提供方法。
【請求項１７】
前記複数の視覚的記号が送受信された時間によって、前記複数の視覚的記号を再配列し、前記複数の視覚的記号の変更された順序を初期化する段階をさらに含むことを特徴とする請求項１に記載の対話サービス提供方法。
【請求項１８】
前記変更する段階後、
前記編集された状態の対話内容を電子ファイルとして保存する段階をさらに含むことを特徴とする請求項１に記載の対話サービス提供方法。
【請求項１９】
コンピュータを利用して、請求項１ないし１８のうちいずれか１項に記載の方法を実行させるコンピュータプログラム。
【請求項２０】
１以上の外部デバイスと、複数の視覚的記号を送受信する通信部と、
前記複数の視覚的記号をディスプレイするディスプレイ部と、
前記ディスプレイ部において、前記複数の視覚的記号を編集することができる編集モードへの進入命令を入力され、前記複数の視覚的記号のうち１以上の視覚的記号を選択する選択命令を入力されるユーザ入力部と、
前記複数の視覚的記号を、前記複数の視覚的記号が送受信された時間によって、順次、前記ディスプレイ部にディスプレイしていて、前記選択命令によって選択された前記１以上の視覚的記号を所定位置に移動させ、前記複数の視覚的記号がディスプレイされる順序を変更する制御部と、を含む対話サービス提供デバイス。
【請求項２１】
前記ディスプレイ部は、タッチ感知ディスプレイ部であり、
前記ユーザ入力部は、前記複数の視覚的記号のうち１以上の視覚的記号に対応する位置に対するタッチ入力を始める動作を検出するか、あるいは前記タッチ入力を維持しながら、前記複数の視覚的記号のうち１以上の視覚的記号に対応する位置をドラッグする動作を検出することを特徴とする請求項２０に記載の対話サービス提供デバイス。
【請求項２２】
前記所定位置は、前記ディスプレイ部上において、前記タッチ入力が終わる位置であることを特徴とする請求項２１に記載の対話サービス提供デバイス。
【請求項２３】
前記制御部は、前記複数の視覚的記号のうち、前記選択された１以上の視覚的記号を他の視覚的記号と区別されるようにディスプレイすることを特徴とする請求項２０に記載の対話サービス提供デバイス。
【請求項２４】
前記制御部は、前記複数の視覚的記号のうち、前記移動させた１以上の視覚的記号を他の視覚的記号と区別されるようにディスプレイすることを特徴とする請求項２０に記載の対話サービス提供デバイス。
【請求項２５】
前記ユーザ入力部は、前記編集モードを終了する終了命令を入力されることを特徴とする請求項２０に記載の対話サービス提供デバイス。
【請求項２６】
前記制御部は、前記終了命令を入力されたとき、最も最近送受信された視覚的記号が、前記ディスプレイ部にディスプレイされる位置に、前記選択された１以上の視覚的記号を移動させることを特徴とする請求項２５に記載の対話サービス提供方法。
【請求項２７】
前記制御部は、前記選択された１以上の視覚的記号が移動された前記ディスプレイ部上の位置に、前記移動させた１以上の視覚的記号を固定することを特徴とする請求項２０に記載の対話サービス提供デバイス。
【請求項２８】
前記制御部は、前記選択された１以上の視覚的記号が第１方向に移動された場合、前記移動された視覚的記号の移動の前位置から移動後の位置までの間に位置する視覚的記号を、前記第１方向と反対方向である第２方向に移動させることを特徴とする請求項２０に記載の対話サービス提供デバイス。
【請求項２９】
前記制御部は、前記選択された１以上の視覚的記号を削除し、前記複数の視覚的記号がディスプレイされる内容を変更することを特徴とする請求項２０に記載の対話サービス提供デバイス。
【請求項３０】
前記通信部は、前記選択された１以上の視覚的記号が移動された編集情報を、前記１以上の外部デバイスに送信することを特徴とする請求項２０に記載の対話サービス提供デバイス。
【請求項３１】
前記通信部は、前記１以上の外部デバイスのうち選択された一部の外部デバイスにのみ、前記編集情報を送信することを特徴とする請求項３０に記載の対話サービス提供デバイス。
【請求項３２】
前記通信部は、前記１以上の外部デバイスのうち、前記選択された視覚的記号のうち少なくとも一つを送信した前記外部デバイスにのみ、前記編集情報を送信することを特徴とする請求項３０に記載の対話サービス提供デバイス。
【請求項３３】
前記通信部は、前記１以上の外部デバイスから、前記複数の視覚的記号がディスプレイされる順序が変更されたという情報を受信し、
前記制御部は、前記受信された情報を基に、前記複数の視覚的記号がディスプレイされる順序を変更することを特徴とする請求項２０に記載の対話サービス提供デバイス。
【請求項３４】
前記制御部は、前記受信された情報が、前記１以上の外部デバイスのうち、前記デバイスのユーザが選択した外部デバイスから受信された情報である場合にのみ、前記受信された情報を基に、前記複数の視覚的記号がディスプレイされる順序を変更することを特徴とする請求項３３に記載の対話サービス提供デバイス。
【請求項３５】
前記制御部は、前記受信された情報により、前記複数の視覚的記号がディスプレイされる順序が変更されれば、前記デバイス上に通知を出力することを特徴とする請求項３３に記載の対話サービス提供デバイス。
【請求項３６】
前記制御部は、前記複数の視覚的記号が送受信された時間によって、前記複数の視覚的記号を再配列し、前記複数の視覚的記号の変更された順序を初期化することを特徴とする請求項２０に記載の対話サービス提供デバイス。
【請求項３７】
前記制御部は、前記選択された１以上の視覚的記号が入力されたファイルを生成することを特徴とする請求項２０に記載の対話サービス提供デバイス。
【発明の詳細な説明】
【技術分野】
【０００１】
本発明は、対話サービス提供方法及び対話サービス提供デバイスに関する。
【背景技術】
【０００２】
電子通信技術の発展により、ユーザは、電子通信を行うことができるデバイスでもって、多様な機能を利用することができるようになった。該デバイスは、ＰＣ（personal  computer）または携帯用端末機などを意味する。該デバイスは、多様なプログラムを、ユーザの所望通り、インストールしたり削除したりすることができ、無線インターネットを利用して、通信網に直接接続することができて活用度が高い。
【０００３】
多数のデバイスが通信網を介して、互いにデータを送受信することができる。それにより、多数のデバイスそれぞれで作成された視覚的記号を、多数のデバイス間で送受信し、当該視覚的記号を、当該多数のデバイスにディスプレイする方法を介して、視覚的記号を介した多者間対話サービスが活発に開発されて使用されている。
【０００４】
前述の背景技術は、発明者が本発明の導出のために保有していたか、あるいは本発明の導出過程で習得した技術情報であり、必ずしも本発明の出願前に一般公衆に公開された公知技術とすることはできない。
【発明の概要】
【発明が解決しようとする課題】
【０００５】
本発明の実施形態は、視覚的記号を介した多者間の対話時にディスプレイされる視覚的記号の順序を編集するか、あるいは視覚的記号のうち一部を削除することにより、対話の内容または重要度などにより、対話内容を編集することができる対話サービス提供方法及び対話サービス提供デバイスを提供する。
【０００６】
本発明の実施形態は、編集した視覚的記号についての情報を、多数のデバイス間で送受信することにより、他人にも、自分が編集した内容を知らせることができる対話サービス提供方法及び対話サービス提供デバイスを提供する。
【課題を解決するための手段】
【０００７】
本発明の一実施形態は、ディスプレイ部を含むデバイスに、１以上の外部デバイスとの視覚的記号を介した対話を提供する対話サービス提供方法において、前記デバイスと、前記１以上の外部デバイスとの間で送受信される複数の視覚的記号を、前記複数の視覚的記号が送受信された時間によって、順次、前記ディスプレイ部にディスプレイする段階と、前記複数の視覚的記号を編集することができる編集モードへの進入命令を入力される段階と、前記複数の視覚的記号のうち１以上の視覚的記号を選択する選択命令を入力される段階と、前記選択された１以上の視覚的記号を所定位置に移動させ、前記複数の視覚的記号がディスプレイされる順序を変更する段階と、を含む対話サービス提供方法を開示する。
【０００８】
本発明の他の実施形態は、１以上の外部デバイスと、複数の視覚的記号を送受信する通信部と、前記複数の視覚的記号をディスプレイするディスプレイ部と、前記ディスプレイ部で前記複数の視覚的記号を編集することができる編集モードへの進入命令を入力され、前記複数の視覚的記号のうち１以上の視覚的記号を選択する選択命令を入力されるユーザ入力部と、前記複数の視覚的記号を、前記複数の視覚的記号が送受信された時間によって、順次、前記ディスプレイ部にディスプレイしていて、前記選択命令によって選択された前記１以上の視覚的記号を所定位置に移動させ、前記複数の視覚的記号がディスプレイされる順序を変更する制御部と、を含む対話サービス提供デバイスを開示する。
【０００９】
前述のところ以外の他の側面、特徴、利点は、以下の図面、特許請求の範囲、及び発明の詳細な説明から明確になるであろう。
【００１０】
かような一般的であって具体的な側面は、システム、方法、コンピュータプログラム、またはあるシステム、方法、コンピュータープログラムの組み合わせを使用して実施される。
【発明の効果】
【００１１】
かような本発明により、視覚的記号を介した多者間の対話時にディスプレイされる視覚的記号の順序を編集したり、視覚的記号のうち一部を削除したりすることにより、対話の内容及び重要度などにより、対話内容を編集することができる対話サービスを提供することができる。
【００１２】
また、編集した視覚的記号についての情報を、多数のデバイス間で送受信することにより、他人にも、自分が編集した内容を知らせることができる対話サービスを提供することができる。
【図面の簡単な説明】
【００１３】
【図１】本発明の一実施形態による対話サービス提供システムの構成を概略的に図示した図面である。
【図２】図１の対話サービス提供システムの対話サービス提供デバイス、及びデバイスの内部構成を概略的に図示したブロック図である。
【図３】本発明の一実施形態による対話サービス提供方法を概略的に図示したフローチャートである。
【図４】図３の方法によって、デバイス上で対話サービスが提供される過程を概略的に図示した画面である。
【図５】図３の方法によって、デバイス上で対話サービスが提供される過程を概略的に図示した画面である。
【図６】図３の方法によって、デバイス上で対話サービスが提供される過程を概略的に図示した画面である。
【図７】図３の方法によって、デバイス上で対話サービスが提供される過程を概略的に図示した画面である。
【図８】図３の方法によって、デバイス上で対話サービスが提供される過程を概略的に図示した画面である。
【図９】対話サービス最中に生じた情報を、多数のデバイス間に送受信する過程を概略的に図示した図面である。
【発明を実施するための形態】
【００１４】
本発明は、多様な変換を加えることができ、さまざまな実施形態を有することができるが、特定実施形態を図面に例示し、詳細な説明で詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態に具現される。以下の実施形態において、第１、第２のような用語は、限定的な意味ではなく、１つの構成要素を他の構成要素と区別する目的で使用された。また、単数の表現は、文脈上明白に異なって意味しない限り、複数の表現を含む。また、「含む」または「有する」というような用語は、明細書上に記載された特徴または構成要素が存在するということを意味するものであり、１以上の他の特徴または構成要素が付加される可能性をあらかじめ排除するものではない。また、図面では、説明の便宜のために、構成要素の大きさが誇張されていたり縮小されていたりする。例えば、図面に示された各構成の大きさ及び厚みは、説明の便宜のために任意に示されており、本発明は、必ずしも図示されたところに限定されるものではない。
【００１５】
以下、添付された図面を参照し、本発明の実施形態を詳細に説明するが、図面を参照して説明するとき、同一であるか、あるいは対応する構成要素は、同一図面符号を付し、それについての重複説明は省略する。
【００１６】
図１は、本発明の一実施形態による対話サービス提供システムの構成を概略的に図示した図面である。
【００１７】
図１を参照すれば、本発明の一実施形態による対話サービス提供システム１０は、第１デバイス１００及び第２デバイス２００を含む。また、第１デバイス１００と第２デバイス２００とを相互連結する通信網４００を含む。また、通信網４００を介して、第１デバイス１００または第２デバイス２００と連結されるサーバ３００を含んでもよい。
【００１８】
第１デバイス１００は、本発明の一実施形態による、対話サービス提供システム１０の対話サービス提供デバイスである。第２デバイス２００も、本発明の一実施形態による、対話サービス提供システム１０の対話サービス提供デバイスでもある。第１デバイス１００は、有線及び／又は無線通信環境で、他のデバイスとデータを送受信することができる通信端末機を意味する。第２デバイス２００も、有線及び／又は無線通信環境で、他のデバイスとデータを送受信することができる通信端末機でもある。図１では、第１デバイス１００及び第２デバイス２００がスマートフォン（smart  phone）として図示されているが、本発明の思想は、それに制限されるものではなく、前述のように、有線及び／又は無線通信環境において、他のデバイスとデータを送受信することができるデバイスであるならば、制限なしに適用される。
【００１９】
それについてさらに詳細に説明すれば、第１デバイス１００及び第２デバイス２００は、例えば、スマートフォン、ＰＣ（personal  computer）、タブレットＰＣ、スマートＴＶ（television）、携帯電話、ＰＤＡ（personal  digital  assistant）、ラップトップ、メディアプレイヤ、マイクロサーバ、ＧＰＳ（global  position  system）装置、電子書籍端末機、デジタル放送用端末機、ナビゲーション、キオスク、ＭＰ３プレイヤ、デジタルカメラ、ウェアラブルデバイス、及びその他モバイルまたは非モバイルのコンピュータ装置でもあるが、本発明は、それらに限定されるものではない。
【００２０】
また、第１デバイス１００及び第２デバイス２００は、電子黒板、タッチテーブルのように、タッチ入力を受信することができる多様な装置を含んでもよい。また、第１デバイス１００及び第２デバイス２００は、通信機能及びデータプロセッシング機能を具備した時計、めがね、ヘアバンド及び指輪などのアクセサリでもあるが、本発明は、それらに限定されるものではない。
【００２１】
第１デバイス１００は、第２デバイス２００と、視覚的記号（visual  sign）を介した対話を行うことができる。図１では、１つの第２デバイス２００をディスプレイしているが、複数の第２デバイス２００と第１デバイス１００とが視覚的記号を介した対話を行うこともできる。すなわち、第１デバイス１００は、第２デバイス２００と互いに視覚的記号をやり取りすることができ、第１デバイス１００は、第１デバイス１００のディスプレイ部上に、ユーザ間の対話を示す視覚的記号をディスプレイすることができる。また、第２デバイス２００それぞれも、それぞれの第２デバイス２００のディスプレイ部上に、ユーザ間の対話を示す視覚的記号をディスプレイすることができる。
【００２２】
本明細書において視覚的記号は、英文字、絵及び写真など視覚的に認知され、相手に視覚的な形態で情報を伝達することができる客体、または当該客体の集合を意味する。例えば、該視覚的記号は、第１デバイス１００のディスプレイ部にディスプレイされるテキストメッセージ、絵、写真、またはそれらを組み合わせて生成される文章や絵文字などを含んでもよいが、本発明は、それらに限定されるものではない。
【００２３】
サーバ３００は、対話サービスを提供するサーバでもある。図１には、１つのサーバをディスプレイしているが、接続量あるいはデータ量によって、複数個のサーバが存在することができる。
【００２４】
サーバ３００は、対話サービスを提供する以外にも、一般的な検索サービス、及びその他ユーザの便宜を増進させる多様なサービスを提供することもできる。すなわち、サーバ３００は、対話サービス以外にも、検索、電子メール、ブログ、ソーシャルネットワークサービス、ニュース、ショッピング情報提供のような多様なサービスを提供することができる。
【００２５】
または、サーバ３００は、検索、電子メール、ニュース、ショッピングのようなポータルサービスを提供するサーバに連結され、ポータルサービスに情報提供を要請する第１デバイス１００に、ポータルサービスが提供するウェブページを提供するサーバでもある。ここで、サーバ３００とポータルサービス提供サーバは、物理的に分離された別途のサーバでもあり、概念的にだけ分離された同一サーバでもある。
【００２６】
サーバ３００は、第１デバイス１００と第２デバイス２００との対話内容を保存することができる。図１においては、第１デバイス１００が通信網４００を介して、第２デバイス２００と直接的にデータを送受信することができるように連結されているように表示されているが、第１デバイス１００と第２デバイス２００とのデータ送受信が、サーバ３００を経て行われもする。すなわち、例えば、第１デバイス１００から電子的信号で送信された視覚的記号が、通信網４００を介して、サーバ３００に伝達され、その後、サーバ３００から通信網４００を介して、第２デバイス２００に当該視覚的記号を送信することもできる。
【００２７】
通信網４００は、第１デバイス１００及び第２デバイス２００を連結する役割を行う。また、通信網４００は、第１デバイス１００及び第２デバイス２００を、サーバ３００と連結する役割を行うことができる。すなわち、通信網４００は、第１デバイス１００及び第２デバイス２００２００間で、視覚的記号を含むデータを送受信することができるように、接続経路を提供する通信網を意味する。通信網４００は、例えば、ＬＡＮｓ（local  area  networks）、ＷＡＮｓ（wide  area  networks）、ＭＡＮｓ（metropolitan  area  networks）、ＩＳＤＮｓ（integrated  service  digital  networks）などの有線ネットワーク；無線ＬＡＮｓ、ＣＤＭＡ（code  division  multiple  access）、ブルートゥース（登録商標（Bluetooth））、衛星通信などの無線ネットワークを網羅することができるが、本発明の範囲は、それらに限定されるものではない。
【００２８】
図２は、図１の対話サービス提供システムの対話サービス提供デバイス、及びデバイスの内部構成を概略的に図示したブロック図である。
【００２９】
図２を参照すれば、本発明の一実施形態による対話サービス提供システムの対話サービス提供デバイスである第１デバイス１００は、通信部１１０、ディスプレイ部１２０、ユーザ入力部１３０及び制御部１４０を含んでもよい。
【００３０】
通信部１１０は、複数の第２デバイス２００、またはサーバ３００のうち少なくとも一つと有線及び／又は無線通信を行うことができる。通信部１１０は、ブルートゥース通信部、ＢＬＥ（Bluetooth  low  energy）通信部、近距離無線通信部（near  field  communication  unit）、ＷＬＡＮ（wireless  local  area  network）（Ｗｉ−Ｆｉ（wireless  fidelity））通信部、ジグビー（ZigBee）通信部、赤外線（ＩｒＤＡ：infrared  data  association）通信部、ＷＦＤ（Ｗｉ−Ｆｉ  direct）通信部、ＵＷＢ（ultra  wideband）、Ａｎｔ＋通信部などでもあるが、それらに限定されるものではない。
【００３１】
通信部１１０は、通信網４００上で、基地局、第２デバイス２００またはサーバ３００のうち少なくとも一つと無線信号を送受信することができる。該無線信号は、視覚的記号を含む多様な形態のデータを含んでもよい。すなわち、通信部１１０は、視覚的記号を第２デバイス２００に送信することができ、第２デバイス２００から送信される視覚的記号を受信することができる。
【００３２】
ディスプレイ部１２０は、第１デバイス１００で処理される情報をディスプレイすることができる。ディスプレイ部１２０は、第１デバイス１００と第２デバイス２００との間で送受信された視覚的記号をディスプレイすることができる。例えば、ディスプレイ部１２０は、第１デバイス１００のユーザと、複数の第２デバイス２００のユーザとの対話内容を含むチャットウィンドウをディスプレイすることができ、当該チャットウィンドウには、送受信された視覚的記号がディスプレイされる。
【００３３】
ディスプレイ部１２０は、液晶ディスプレイ、薄膜トランジスタ液晶ディスプレイ、有機発光ダイオー、フレキシブルディスプレイ、三次元（３Ｄ）ディスプレイ、電気泳動ディスプレイのうち少なくとも一つを含んでもよいが、本発明の範囲は、それらに限定されるものではない。第１デバイス１００の具現形態によって、第１デバイス１００は、ディスプレイ部１２０を２個以上含んでもよい。
【００３４】
ユーザ入力部１３０は、ユーザが、第１デバイス１００を制御するためのデータを入力する手段を意味する。例えば、ユーザ入力部１３０には、キーパッド、ドームスイッチ、タッチパッド（接触式静電容量方式、圧力式抵抗膜方式、赤外線感知方式、表面超音波伝導方式、積分式張力測定方式、ピエゾ効果方式など）、ジョグホイール、ジョグスイッチなどがあるが、それらに限定されるものではない。
【００３５】
ユーザ入力部１３０は、視覚的記号を介した、対話サービスのためのユーザ入力を受信することができる。例えば、ユーザ入力部１３０は、ユーザの音声入力、ユーザの文字入力、またはユーザのタッチ入力を受信することができるが、本発明の範囲は、それらに限定されるものではない。
【００３６】
ユーザ入力部１３０は、ディスプレイ部１２０とレイヤ構造をなし、１つのタッチスクリーンでも構成される。その場合、ディスプレイ部１２０とユーザ入力部１３０とが１つの物理的な形態をなす。
【００３７】
制御部１４０は、一般的に、第１デバイス１００の全般的な動作を制御することができる。例えば、制御部１４０は、第１デバイス１００に含まれるメモリに保存されたプログラムを実行することにより、通信部１１０、ディスプレイ部１２０及びユーザ入力部１３０などを全般的に制御することができる。制御部１４０は、図１及び図９での第１デバイス１００の動作を遂行するために、通信部１１０、ディスプレイ部１２０及びユーザ入力部１３０などを全般的に制御することができる。
【００３８】
具体的には、制御部１４０は、通信部１１０を介して受信される視覚的記号、またはユーザ入力部１３０を介して入力される視覚的記号を、ディスプレイ部１２０にディスプレイすることができる。また、制御部１４０は、当該視覚的記号が作成された順序により、または当該視覚的記号が送受信された時間により、順次、当該視覚的記号をディスプレイ部１２０にディスプレイすることができる。その場合、制御部１４０は、当該視覚的記号がディスプレイ部１２０に、順次に第１方向に羅列されるように、ディスプレイすることができる。例えば、第１方向が上から下に向かう方向である場合、制御部１４０は、相対的に先に送受信された視覚的記号を、ディスプレイ部１２０の第１位置にディスプレイすることができ、相対的に後に送受信された視覚的記号を、ディスプレイ部１２０の第１位置より下方に位置する第２位置にディスプレイすることができる。
【００３９】
また、制御部１４０は、ディスプレイ部１２０にディスプレイされている視覚的記号を編集することができる編集モードを活性化することができる。制御部１４０は、ユーザ入力部１３０を介して、編集モードへの進入命令が入力されるとき、編集モードを活性化することができる。編集モードへの進入命令は、第１デバイス１００のユーザが、ユーザ入力部１３０を介して、第１デバイス１００に入力することができる多種の入力でもある。詳細には、ユーザ入力部１３０は、ディスプレイ部１２０の特定位置に存在するＵＩ（user  interface）に対するクリック動作またはタッチ動作を検出することができる。その場合、制御部１４０は、検出した動作が編集モードへの進入命令に対応するか否かということを判断することができる。検出した動作が編集モードへの進入命令であると判断されれば、制御部１４０は、編集モードを活性化することができる。かように、該進入命令は、ディスプレイ部１２０の特定位置に存在するＵＩに対するクリック動作、ダブルクリック動作、ドラッグ動作またはエアジェスチャ動作でもあるが、それらに限定されるものではない。ディスプレイ部１２０が、タッチ感知ディスプレイ部である場合、該進入命令は、ディスプレイ部１２０の特定位置に存在するＵＩに対するショートタップ動作、ロングタップ動作、ダブルタップ動作、またはタッチ後における特定方向へのドラッグ動作でもあるが、それらに限定されるものではない。
【００４０】
また、制御部１４０は、編集モードが活性化された状態で、ディスプレイ部１２０にディスプレイされている視覚的記号のうち１以上の視覚的記号を選択することができる。制御部１４０は、ユーザ入力部１３０を介して、視覚的記号を選択する選択命令が入力されるとき、当該視覚的記号を選択することができる。該選択命令は、第１デバイス１００のユーザが、第１デバイス１００に入力することができる多種の入力でもある。例えば、該選択命令は、ディスプレイ部１２０において、視覚的記号に対応する位置に対するクリック動作、ダブルクリック動作またはドラッグ動作でもあるが、それらに限定されるものではない。ディスプレイ部１２０がタッチ感知ディスプレイ部である場合、該選択命令は、ディスプレイ部１２０において、視覚的記号に対応する位置に対するショートタップ動作、ロングタップ動作、ダブルタップ動作、タッチ後における特定方向へのドラッグ動作、またはエアジェスチャ動作でもあるが、それらに限定されるものではない。
【００４１】
視覚的記号に対応する位置は、当該視覚的記号がディスプレイされた位置自体でもあり、特定視覚的記号を示すＵＩがディスプレイされた位置でもある。詳細には、編集モードでは、それぞれの視覚的記号の横方向、上方向または下方向にチェックボックスなどのＵＩが表示される。当該チェックボックスなどのＵＩが表示される位置が、特定視覚的記号に対応する位置でもある。ユーザ入力部１３０は、当該チェックボックスなどのＵＩに対するクリック動作またはタッチ動作を検出することができる。制御部１４０は、検出された動作を、特定視覚的記号を選択する動作と判断することができる。
【００４２】
また、制御部１４０は、視覚的記号を選択する選択命令を、選択命令であると同時に、編集モードへの進入命令と判断することができる。例えば、編集モードではない状態において、ディスプレイ部１２０において、視覚的記号に対応する位置に対する選択命令が入力される場合、制御部１４０は、編集モードを活性化しながら、当該視覚的記号を選択することができる。
【００４３】
また、制御部１４０は、選択された視覚的記号を、ディスプレイ部１２０上の所定位置に移動させ、視覚的記号がディスプレイされる順序を編集することができる。該所定位置は、ディスプレイ部１２０上の特定位置を示すことができる多種の入力でもある。例えば、ユーザが、ディスプレイ部１２０上で編集終了を示すＵＩを選択する場合、制御部１４０は、選択された視覚的記号を、ディスプレイ部１２０上で最も最近受信された視覚的記号がディスプレイされる位置に移動させることができる。他の例示として、ユーザが特定視覚的記号を、クリックやタッチを介して選択し、当該クリックやタッチを維持した状態でドラッグを行い、該ドラッグ後、当該クリックやタッチを終了する場合、制御部１４０は、当該ドラッグが終わった位置に、当該視覚的記号を移動させることができる。
【００４４】
また、制御部１４０は、選択された視覚的記号をディスプレイ部１２０上から削除させることができる。例えば、ユーザが、ディスプレイ部１２０上からの削除を示すＵＩを選択する場合、制御部１４０は、選択された視覚的記号を、ディスプレイ部１２０上から削除することができる。他の例示として、ユーザが、特定視覚的記号を、クリックやタッチを介して選択し、当該クリックやタッチを維持した状態で、削除を示すＵＩが存在する位置、またはディスプレイ部１２０のエッジにドラッグした後、当該クリックやタッチを終了する場合、制御部１４０は、選択された視覚的記号を削除することができる。
【００４５】
また、制御部１４０は、視覚的記号の編集内容を初期化し、視覚的記号が送受信された時間によって、順次ディスプレイされる状態に戻すことができる。例えば、ユーザが編集内容を初期化せよという命令を入力する場合、制御部１４０は、視覚的記号がディスプレイされる順序を、順序が編集される以前状態に戻し、削除された対話内容を再び表示する状態に戻すことができる。
【００４６】
図３は、本発明の一実施形態による対話サービス提供方法を概略的に図示したフローチャートである。
【００４７】
図３に図示されたフローチャートは、図２に図示された対話サービス提供デバイスである第１デバイス１００において、時系列的に処理される段階によって構成される。従って、以下で省略された内容であるとしても、図２で図示された構成について、以上で記述された内容は、図３に図示されたフローチャートにも適用されるということが分かる。
【００４８】
図３を参照すれば、本発明の一実施形態による対話サービス提供方法は、デバイス間で送受信される複数の視覚的記号を、経時的に順次にディスプレイする段階（Ｓ１００段階）、複数の視覚的記号を編集することができる編集モードに進入する段階（Ｓ２００段階）、複数の視覚的記号のうち１以上の視覚的記号を選択する段階（Ｓ３００段階）、及び選択された１以上の視覚的記号を所定位置に移動したり削除したりする段階（Ｓ４００段階）を含む。ここで、編集モードに進入する段階（Ｓ２００段階）、及び１以上の視覚的記号を選択する段階（Ｓ３００段階）は、互いに併合されて１つの段階としても進められる。すなわち、ユーザが１以上の視覚的記号を選択すれば、当該視覚的記号が選択されながら、編集モードが活性化されもする。また、１以上の視覚的記号を選択する段階（Ｓ３００段階）、及び所定位置に移動したり削除したりする段階（Ｓ４００段階）は、互いに併合されて１つの段階としても進められる。すなわち、ユーザが、編集モードにおいて、１以上の視覚的記号を選択すれば、当該視覚的記号が選択されながら、所定位置に当該視覚的記号が移動されるか削除されたりする。
【００４９】
図４ないし図８は、図３の方法によって、デバイス上で対話サービスが提供される過程を概略的に図示した画面である。
【００５０】
図４を参照すれば、本発明の一実施形態による対話サービス提供方法は、多者間の対話内容を示す視覚的記号を、当該視覚的記号が入力された時間、または送受信された時間によって、順次にディスプレイすることができる。その場合、第１デバイス１００のディスプレイ部には、多者間の対話内容を示す視覚的記号が順次にディスプレイされる。また、第１デバイス１００を介して直接作成された視覚的記号は、第１デバイス１００のディスプレイ部の方側に整列されてディスプレイされ、第２デバイス２００を介して受信された視覚的記号は、それぞれの対話内容を送信した第２デバイス２００を区分し、前記方側の反対側に整列されてディスプレイされる。その場合、それぞれの第２デバイス２００は、互いに異なる文字、絵または写真などを示すＵＩを介して、互いに区分される。
【００５１】
そのとき、第１デバイス１００は、視覚的記号のうち一つを選択するユーザ入力を受信することができる。例えば、図４（ａ）に図示されているように、第１デバイス１００は、ユーザが選択する視覚的記号がディスプレイされた位置１５０に対するタッチを検出することができる。１つの視覚的記号を選択するユーザ入力が受信されることにより、デバイス１００は、当該視覚的記号を他の視覚的記号と区別されるようにディスプレイすることができる。例えば、図４（ｂ）に図示されているように、第１デバイス１００は、選択された視覚的記号が位置する領域１５２の背景色を、他の視覚的記号が位置する領域の背景色と異なるようにディスプレイすることができる。
【００５２】
そのとき、第１デバイス１００は、選択された視覚的記号を特定位置に移動させるユーザ入力を受信することができる。例えば、図４（ｂ）に図示されているように、第１デバイス１００は、ユーザが視覚的記号をタッチしてドラッグする動作を検出することができる。選択された視覚的記号を移動させるユーザ入力が受信されることにより、デバイス１００は、所定位置に当該視覚的記号を移動させることができる。例えば、図４（ｃ）に図示されているように、第１デバイス１００は、ドラッグが終わった位置に、選択された視覚的記号を移動させ、視覚的記号がディスプレイされる順序を編集することができる。それを介して、ユーザは、チャットウィンドウにおいて、対話の順序を思いのままに編集することができる。そのとき、移動させた視覚的記号を他の視覚的記号と区別されるようにディスプレイすることができる。例えば、図４（ｃ）に図示されているように、第１デバイス１００は、移動させた視覚的記号が位置する領域１５４の背景色を、他の視覚的記号が位置する領域の背景色と異なるようにディスプレイすることができる。それを介して、ユーザは、どの視覚的記号の順序が編集されたかということを容易に確認することができる。
【００５３】
また、第１デバイス１００は、選択された視覚的記号を削除するユーザ入力を受信することができる。例えば、ユーザが、削除を示すＵＩをタッチする場合、第１デバイス１００は、選択された視覚的記号を削除し、ディスプレイさせない。それを介して、ユーザは、チャットウィンドウの対話内容中、表示したくない対話を削除することができる。
【００５４】
ここで、第１デバイス１００は、複数の視覚的記号のうち少なくとも一部の視覚的記号を選択するユーザ入力を受信することもできる。例えば、図５（ａ）に図示されているように、第１デバイス１００は、ユーザが選択する視覚的記号１５６ａ及び１５６ｂがディスプレイされた位置のマルチタッチを検出することができる。そのとき、第１デバイス１００は、選択された視覚的記号を所定位置に移動させるユーザ入力を受信することができる。例えば、図５（ｂ）に図示されているように、第１デバイス１００は、ユーザが特定視覚的記号をタッチしてドラッグする動作を検出することができる。選択された視覚的記号を移動させるユーザ入力が受信されることにより、第１デバイス１００は、所定位置に当該視覚的記号を移動させることができる。例えば、図５（ｃ）に図示されているように、第１デバイス１００は、ドラッグが終わった位置に、選択された視覚的記号を移動させ、視覚的記号がディスプレイされる順序を編集することができる。それを介して、ユーザは、チャットウィンドウにおいて、いくつかの対話順序を一括的に編集することができる。
【００５５】
図５では、一部の視覚的記号を選択する方法として、マルチタッチが図示されているが、本発明は、それに限定されるものではない。すなわち、編集モードにおいて、視覚的記号に対応する位置のうち一部を、順次にクリックまたはタッチする方法、選択する視覚的記号のうち、最も前に位置する視覚的記号をクリックまたはタッチした後、最も後に位置する視覚的記号をクリックまたはタッチする方法など、第１デバイス１００において、複数の視覚的記号のうち少なくとも一部を選択せよという命令として認識することができる多種の方法が選択方法として使用される。
【００５６】
また、第１デバイス１００は、編集モードを終了させるＵＩを、第１デバイス１００のディスプレイ部にディスプレイすることができる。例えば、図６（ａ）に図示されているように、第１デバイス１００は、編集モードを終了させるためのＵＩ  １５８を、第１デバイス１００のディスプレイ部にディスプレイすることができる。そのとき、第１デバイス１００は、編集モードを終了させるユーザ入力を受信しながら、選択された視覚的記号を所定位置に移動させることができる。例えば、図６（ｂ）に図示されているように、第１デバイス１００が編集モードを終了させるＵＩ  １５８に対するタッチを検出すれば、図６（ｃ）に図示されているように、最も最近送受信された視覚的記号がディスプレイされる位置に、第１デバイス１００が選択された視覚的記号を移動させることができる。それを介して、ユーザは、過去送受信された対話内容を、最近の送受信対話内容と共に知ることができる、チャットウィンドウでの対話順序を編集することができる。
【００５７】
図４ないし図６は、ディスプレイされる対話内容を編集する１つの例示を示したものに過ぎず、それ以外に多様な方法により、第１デバイス１００は、ディスプレイされる対話内容を編集することができる。
【００５８】
本発明の一実施形態による対話サービス提供方法を介して、視覚的記号がディスプレイされる順序が編集されるとき、視覚的記号間の間隔が再整列されもする。例えば、図７（ａ）に図示されているように、選択された視覚的記号を所定位置に移動させるユーザ入力を、第１デバイス１００が受信すれば、第１デバイス１００は、所定位置に当該視覚的記号を移動させることができる。そのとき、第１デバイス１００は、選択された視覚的記号が移動された位置から第１方向に位置する視覚的記号を、当該第１方向に移動させることができる。例えば、図７（ｂ）に図示されているように、第１デバイス１００は、選択された視覚的記号が本来存在した位置から、選択された視覚的記号が移動された位置までの間に位置する全ての視覚的記号を、上方へ移動させることができる。経時的に、図７（ｃ）に図示されているように、視覚的記号が十分に移動し、全ての視覚的記号間の間隔が一定に再整列されるようにすることができる。第１デバイス１００は、かような再整列過程を、アニメーションを介してディスプレイすることもでき、柔らかなアニメーションなしに、再整列が完了した状態を直ちにディスプレイすることもできる。
【００５９】
また、第１デバイス１００は、視覚的記号のうち一部を、所定位置に移動させるユーザ入力を受信することができる。例えば、図８（ａ）に図示されているように、第１デバイス１００は、ユーザが特定視覚的記号をタッチし、所定位置にドラッグする動作を検出することができる。そのとき、第１デバイス１００は、当該ドラッグされた視覚的記号を、当該所定位置に固定することができる。例えば、図８（ｂ）に図示されているように、第１デバイス１００は、当該所定位置１６０を、他の視覚的記号が位置する領域と区分し、当該ドラッグされた視覚的記号を、当該所定位置１６０に固定することができる。かように固定された視覚的記号は、第１デバイス１００が固定を解除するまで、当該所定位置１６０にディスプレイされる。例えば、図８（ｃ）に図示されているように、経時的に、順次にディスプレイされている視覚的記号が送受信された時間が９時４７分から１０時７分までの間である場合にも、第１デバイス１００は、８時３２分に受信された視覚的記号が、常に固定された位置にディスプレイされるように維持することができる。それを介して、ユーザは、重要な情報を有している視覚的記号などが、チャットウィンドウに常にディスプレイされるようにする。
【００６０】
図９は、対話サービス最中に生じた情報を、多数のデバイス間で送受信する過程を概略的に図示した図面である。
【００６１】
図９を参照すれば、本発明の一実施形態による対話サービス提供方法は、視覚的記号が編集された編集情報を、外部デバイスに送信することができる。例えば、図９に図示されているように、第１デバイス１００は、視覚的記号が編集された編集情報を、通信網４００を介して、第２デバイス２００に送信することができる。そのとき、第１デバイス１００は、編集された多者間の対話内容自体に係わるデータの全部または一部を、通信網４００に送信することもでき、いかなる視覚的記号が編集されたかという変更事項に係わるデータのみを通信網４００に送信することもできる。それを介して、ユーザは、自分が編集した視覚的記号の変更事項を他人と共有することができる。
【００６２】
第１デバイス１００は、ユーザから選択された第２デバイス２００にのみ当該編集情報を送信することができる。例えば、第１デバイス１００が、３つの第２デバイス２００ａ，２００ｂ及び２００ｃと、視覚的記号を介した対話を進めており、第１デバイス１００のユーザは、第２デバイス２００ａ及び第２デバイス２００ｃには、当該編集情報の送信を許可し、第２デバイス２００ｂには、当該編集情報の送信を不許可とした場合を想定する。その場合、図９に図示されているように、第１デバイス１００から通信網４００に送信された当該編集情報は、第２デバイス２００ａ及び第２デバイス２００ｃにのみ送信される。それを介して、ユーザは、自分が変更した視覚的記号の変更事項を、自分が共有を希望する他人とのみ共有することができる。
【００６３】
第１デバイス１００は、全体視覚的記号のうち、編集された視覚的記号を送信した第２デバイス２００にのみ当該編集情報を送信することができる。例えば、第１デバイス１００が、３つの第２デバイス２００ａ，２００ｂ及び２００ｃと、視覚的記号を介した対話を進めており、第１デバイス１００が編集した視覚的記号は、第２デバイス２００ａ及び第２デバイス２００ｃから送信された視覚的記号であり、第２デバイス２００ｂから送信された視覚的記号は、編集しない場合を想定する。その場合、図９に図示されているように、第１デバイス１００から通信網４００に送信された当該編集情報は、第２デバイス２００ａ及び第２デバイス２００ｃにのみ送信される。それを介して、ユーザは、自分が変更した視覚的記号の変更事項を、当該視覚的記号を直接作成した他人とのみ共有することができる。
【００６４】
また、第２デバイス２００ａ及び第２デバイス２００ｃは、それぞれの第２デバイス２００ａ及び第２デバイス２００ｃのユーザが、第１デバイス１００からの編集情報の受信を許可した場合にのみ、第１デバイス１００からの編集情報を受信することができる。例えば、第２デバイス２００ａのユーザは、第１デバイス１００からの編集情報受信を許可し、第２デバイス２００ｃのユーザは、第１デバイス１００からの編集情報受信を不許可とした場合を想定する。その場合、第２デバイス２００ａは、当該編集情報を受信することができる。一方、第２デバイス２００ｃは、当該編集情報を受信しないか、あるいは受信したとしても、当該編集情報を使用しない。それを介して、ユーザは、自分が共有されることを希望する他人からのみ編集情報が共有される。
【００６５】
また、第２デバイス２００は、第１デバイス１００から共有された情報により、自動的に第２デバイス２００にディスプレイされる視覚的記号の順序を変更することもでき、第２デバイス２００のユーザが、視覚的記号の順序変更を希望する場合にのみ、第２デバイス２００にディスプレイされる視覚的記号の順序を変更することもできる。第１デバイス１００のユーザから共有された情報に基づいて、第２デバイス２００にディスプレイされる視覚的記号の順序が変更された場合、第２デバイス２００は、通知を出力することができる。第２デバイス２００は、特定ＵＩをディスプレイする方法、特定音をスピーカに出力する方法、または振動を鳴らす方法などを介して、通知を出力することができる。それを介して、ユーザは、自分が直接関与しない状態において、視覚的記号の順序が変更された場合には、変更事実に係わる通知を受けることができる。
【００６６】
第１デバイス１００または第２デバイス２００は、第１デバイス１００と第２デバイス２００との対話内容が記載された電子ファイルを生成することができる。第１デバイス１００または第２デバイス２００は、編集された状態の対話内容が記載された電子ファイルを生成することができる。第１デバイス１００または第２デバイス２００は、各デバイスは、電子ファイルを生成せよというユーザ入力を受信することができる。例えば、第１デバイス１００は、ディスプレイ部１２０に、対話内容保存のためのＵＩを表示することができる。第１デバイス１００は、当該ＵＩを選択する動作を検出することができる。当該ＵＩを選択する動作が検出されれば、第１デバイス１００は、対話内容が記載された電子ファイルを生成することができる。
【００６７】
以上で説明された本発明による実施形態は、コンピュータ上で、多様な構成要素を介して実行されるコンピュータプログラムの形態で具現され、かようなコンピュータプログラムは、コンピュータで判読可能な媒体に記録される。そのとき、該媒体は、ハードディスク、フロッピー（登録商標）ディスク及び磁気テープのような磁気媒体；ＣＤ−ＲＯＭ（compact  disc  read  only  memory）及びＤＶＤ（digital  versatile  disc）のような光記録媒体；フロプティカルディスク（floptical  disk）のような磁気・光媒体（magneto-optical  medium）；及びＲＯＭ（read-only  memory）、ＲＡＭ（random  access  memory）、フラッシュメモリのような、プログラム命令語を保存して実行するように特別に構成されたハードウェア装置を含んでもよい。さらに、該媒体は、ネットワーク上で伝送可能な形態によって具現される無形の媒体を含んでもよく、例えば、ソフトウェア形態またはアプリケーション形態に具現され、ネットワークを介して、伝送及び流通が可能な形態の媒体でもある。
【００６８】
一方、前記コンピュータプログラムは、本発明のために特別に設計されて構成されたものであってもよく、コンピュータソフトウェア分野の当業者に公知されて使用可能なものであってもよい。該コンピュータプログラムの例としては、コンパイラによって作われるような機械語コードだけではなく、インタープリタなどを使用して、コンピュータによって実行される高級言語コードも含まれる。
【００６９】
本発明で説明する特定実行は、一実施形態であり、いかなる方法によっても、本発明の範囲を限定するものではない。明細書の簡潔さのためにに、従来の電子的な構成、制御システム、ソフトウェア、前記システムの他の機能的な側面の記載は省略される。また、図面に図示された構成要素間の線の連結または連結部材は、機能的な連結、及び／または物理的または回路的な連結を例示的に示したものであり、実際の装置においては、代替可能であったり追加されたりする多様な機能的な連結、物理的な連結または回路的な連結としても示される。また、「必須な」、「重要に」というような具体的な言及がなければ、本発明の適用のために、必ずしも必要な構成要素ではないこともある。
【００７０】
従って、本発明の思想は、前述の実施形態に限って決められるものではなく、特許請求の範囲だけではなく、該特許請求の範囲と均等であるか、あるいはそこから等価的に変更された全ての範囲は、本発明の思想の範疇に属するものであるといえる。
【図１】
2018509673.tif 000003
【図２】
2018509673.tif 000004
【図３】
2018509673.tif 000005
【図４】
2018509673.tif 000006
【図５】
2018509673.tif 000007
【図６】
2018509673.tif 000008
【図７】
2018509673.tif 000009
【図８】
2018509673.tif 000010
【図９】
2018509673.tif 000011
【国際調査報告】
2018509673.tif 000012
2018509673.tif 000013
2018509673.tif 000014
2018509673.tif 000015
2018509673.tif 000016
2018509673.tif 000017
2018509673.tif 000018
2018509673.tif 000019
2018509673.tif 000020
2018509673.tif 000021
2018509673.tif 000022
2018509673.tif 000023